(57)【要約】人体を部分的に又は全身的に加温するのに適する遠赤外線発生器に関し、遠赤外線の発生効率の優れた遠赤外線発生器を実現することによって、比較的低温でも人体の深部まで効果的に加温可能とすることを目的とする。そして本発明によると、発熱部の熱を受けて遠赤外線を発して温熱治療する器具に用いる遠赤外線手段であって、ラドン発生稀有元素鉱物のみ、又はトルマリン鉱石、炭素若しくはラドン発生稀有元素鉱物の２以上を含んでいる遠赤外線発生材を用いることにより、遠赤外線が人体の深部まで効果的に到達して加温することが可能となる。この遠赤外線発生材を鏝状や震動タイプ、ドーム状などの温熱療法器に適用できる。
2004075986.tif 000002
【特許請求の範囲】
【請求項１】
発熱部の熱を受けて遠赤外線を発して温熱治療する器具に用いる遠赤外線発生材であって、
ラドン発生稀有元素鉱物のみ、又はトルマリン鉱石、炭素若しくはラドン発生稀有元素鉱物の２以上を含んでいることを特徴とする遠赤外線発生器。
【請求項２】
前記のトルマリン鉱石、炭素若しくはラドン発生稀有元素鉱物の２以上が層状に積層されていることを特徴とする請求の範囲第１項に記載の遠赤外線発生器。
【請求項３】
前記のトルマリン鉱石、炭素又はラドン発生稀有元素鉱物の２以上が粉状に混在しており、
混在状態のまま又は混在状態で結合材によって一体に固められていることを特徴とする請求の範囲第１項に記載の遠赤外線発生器。
【請求項４】
前記のようにラドン発生稀有元素鉱物のみ、又はトルマリン鉱石、炭素若しくはラドン発生稀有元素鉱物の２以上を含んでおり、しかも鏝状の本体部において発熱部に直接又はスペーサ部を介して一体化されていることを特徴とする請求の範囲第１項、第２項または第３項に記載の遠赤外線発生器。
【請求項５】
前記の鏝状の本体部において、遠赤外線を照射する側を凸曲面状のガラス板とし、その内側の凹曲面内に遠赤外線発生材を設け、かつ本体部の形状寸法を、長円８〜２０ｃｍ、短円４〜９ｃｍ程度、厚み１．５〜４ｃｍ程度の楕円状としたことを特徴とする請求の範囲第４項に記載の鏝状の遠赤外線発生器。
【請求項６】
前記の発熱部が震動部に対し表側に設けてあり、該発熱部に対して直接又はスペーサ層を介して、前記のようにラドン発生稀有元素鉱物のみ、又はトルマリン鉱石、炭素若しくはラドン発生稀有元素鉱物の２以上を含んでいる遠赤外線発生器が一体化されていることを特徴とする請求の範囲第１項、第２項または第３項に記載の遠赤外線発生器。
【請求項７】
前記の発熱部がドーム状面に対し内側に設けてあり、該発熱部の内側又は外側に直接又はスペーサ層を介して、前記のようにラドン発生稀有元素鉱物のみ、又はトルマリン鉱石、炭素若しくはラドン発生稀有元素鉱物の２以上を含んでいる遠赤外線発生器が一体化されていることを特徴とする請求の範囲第１項、第２項または第３項に記載の遠赤外線発生器。
【請求項８】
ハーブ成分を含む液体を含浸させた蒸タオルの上に押し当てるための前記の震動部を有する遠赤外線発生器と、
前記の鏝状の発熱部を有する遠赤外線発生器と、
前記のドーム状面を有する遠赤外線発生器と、
の３点からなることを特徴とする請求の範囲第４項、第６項および第７項に記載の遠赤外線発生器。
【請求項９】
ラドン発生稀有元素鉱物のみ、又はトルマリン鉱石、炭素若しくはラドン発生稀有元素鉱物の２以上が層状に積層されており、又は粉状に混在し、混在状態のまま又は混在状態で結合材によって一体に固められている遠赤外線発生器を有しており、
（１）．人体の表面に、鏝状の発熱部を有する前記遠赤外線発生器を当てて、人体に遠赤外線を吸収させること、
（２）．ドーム状面に対し内側に配置された前記遠赤外線発生器の内側に人体を位置させて、人体に遠赤外線を吸収させること、
（３）．ハーブ成分を含む液体を含浸させた蒸タオルを人体表面に重ねて、その上から、震動部によって加震される前記遠赤外線発生器を押し当てて、人体に遠赤外線を吸収させること、
の操作を、前記の（１）．→（２）．→（３）．の順に行なうことを特徴とする遠赤外線照射方法。
【発明の詳細な説明】
【技術分野】  人体を加温すると、血液やリンパ液の流れがよくなり、新陳代謝が促進されることはよく知られている。したがって、患部や全身的に加温することは、治療や健康維持に極めて有効であると言われている。癌細胞も熱に弱く、体温より数度高くするだけでも死滅または縮小するという。
このように、人体を局部的にあるいは多少広い範囲で、又は全身的に加温することは、健康維持、健康増進に限らず、温熱療法としても有効である。したがって、人体の表面だけを加温するより、人体の内部まで加温できる遠赤外線を用いると、より効果がある。本発明は、このように人体を加温するのに適する遠赤外線発生器に関する。
技術背景
特開２０００−１４０１３５号公報に記載のように、軸方向に入れ子式に接続される複数個の半円状体と、その内面略全面に設けられたカーボンブラックを含む面状発熱体とを備え、面状発熱体を５５〜７０℃に通電加熱する装置が提案されている。また、特開平８−１１２３０２号公報にも同様に複数のドーム状カバーの内面にカーボンブラックから成る面状発熱体を積層する装置が提案されている。
これらの装置は、ドーム状ないし半円状体の内部に人体が位置した状態で、カーボンブラックからなる発熱体から遠赤外線を人体に照射することで、健康増進を図ったり、癌などを治療するものである。
これらは、人体の首以下の全身あるいはかなり広い領域にわたって加温する装置であるが、特開平７−３０３７０９号公報や特開平１１−７０１７５号公報、特開平２０００−３０８６６８号公報などに記載のように、温灸器と称して、人体に局部的に遠赤外線を照射して加温する装置も提案されている。
これらの局部的に加温する装置の場合も、また全身的に加温する装置の場合も、遠赤外線の発生部は、カーボンブラックを用いたり、トルマリンを用いたりしている。ところが、遠赤外線の発生手段として、カーボンブラックやトルマリンを単体で用いただけでは、遠赤外線の発生効率が悪いため、人体の内部まで効率的に加温することができない。
そのため、より深部まで加温しようとすると、加温器を長時間にわたって人体表面に押し当てたり、温度を高くしなければならない。ところが、温度を上げた場合でも、また長時間加温器を押し当てた場合も、人体の表面では熱すぎるために、我慢の限界に達し、それ以上続けて加温することが不可能となり、温熱式の健康増進や治療という目的を達成不能となる。
また、糖尿病などのために、神経が衰えて鈍化している場合は、熱すぎることを認識できず、火傷などを来す危険もある。
したがって、従来の加温器を用いて温熱治療をする場合は、温度の設定と人体の一部に押し当てる強さや一か所のみ加温しないように動かす速さなどは、長年の経験と熟練を必要とし、また、治療効果を得るために、長期の治療時間と治療費が必要とされていた。
そこで未熟者でも簡単に使用でき、もっと温熱治療効率の高い加温器が求められていた。そのためには、遠赤外線の発生効率にすぐれた遠赤外線発生器の開発が迫られている。
本発明の技術的課題は、このような問題に着目し、遠赤外線の発生効率の優れた遠赤外線発生器を実現することによって、比較的低温でも人体の深部まで効果的に加温可能とすることにある。
【発明の開示】
本発明の技術的課題は次のような手段によって解決される。第１項は、発熱部の熱を受けて遠赤外線を発して温熱治療する器具に用いる遠赤外線手段であって、ラドン発生稀有元素鉱物のみ、又はトルマリン鉱石、炭素若しくはラドン発生稀有元素鉱物の２以上を含んでいることを特徴とする遠赤外線発生器である。  実験の結果によると、このようにラドン発生稀有元素鉱物のみ、又はトルマリン鉱石、炭素若しくはラドン発生稀有元素鉱物の２以上を組み合わせてなる遠赤外線発生器を発熱部で加温すると、該遠赤外線発生器から効率的に遠赤外線を発生して人体の深部まで効率的に加温できるため、健康増進や温熱治療を効果的に実現できる。したがって、温熱治療器を人体に当てる際の温度を従来より低くでき、しかも人体の一か所に当てる時間も短縮できるので、高温に我慢する必要がなく、ストレス軽減となる。また、神経が鈍化している場合でも、火傷などの心配もなく、安全である。
特に、トルマリン鉱石とラドン発生稀有元素鉱物との両者を含んでいると、遠赤外線によって人体の深部までより確実に加温できる。トルマリン鉱石とラドン発生稀有元素鉱物と炭素の３者を組み合わせると、最も効果的に遠赤外線を発生して人体の深部まで加温できる。また、ラドン発生稀有元素鉱物の場合は、単体でも、トルマリンのみ又は炭素のみの場合に比べると、最も効果的であった。したがって、発熱部の熱を受けて遠赤外線を発する用途の場合は、ラドン発生稀有元素鉱物のみでも使用可能である。
トルマリン鉱石、炭素又はラドン発生稀有元素鉱物の２以上の組み合わせ方は、粉状に混在させてもよいし、層状に積層してもよく、２以上の組み合わせ方は任意である。また、以上のようなことは、人体を加温するための遠赤外線発生器であれは、温熱治療器の種類や構造、規模などのいかんに関係なく、全てに通用する。
第２項は、前記のトルマリン鉱石、炭素又はラドン発生稀有元素鉱物の２以上が層状に積層されていることを特徴とする第１項に記載の遠赤外線発生器である。前記のトルマリン鉱石、炭素又はラドン発生稀有元素鉱物は、層状に形状できる。そして、トルマリン鉱石、炭素又はラドン発生稀有元素鉱物の層を、２層以上の層状に積層することもできる。
このように、トルマリン鉱石の層、炭素の層又はラドン発生稀有元素鉱物の層を用意して、適宜組み合わせて２層または３層に積層することによっても、前記のように遠赤外線によって人体の深部まで効率的に加温できる。それぞれの層は、粉状でもよいし、一体の固形状ないし板状又はシート状などでもよい。また、それぞれの層は一体的に固定してもよいし、単に重ねるだけでもよい。
第３項は、前記のトルマリン鉱石、炭素又はラドン発生稀有元素鉱物の２以上が粉状に混在しており、混在状態のまま又は混在状態で結合材によって一体に固められていることを特徴とする第１項に記載の遠赤外線発生器である。この場合、トルマリン鉱石とラドン発生稀有元素鉱物の２種を粉状に混在させ、炭素のみは発熱体と兼ねさせる構成も含まれる。
トルマリン鉱石、炭素又はラドン発生稀有元素鉱物のそれぞれを粉状に形成し、粉状のトルマリン鉱石、炭素又はラドン発生稀有元素鉱物の２以上を混在させることによって、遠赤外線発生部を形成できる。あるいは、このように混在させた状態で結合材によって一体に固めることもできる。
このように、トルマリン鉱石、炭素又はラドン発生稀有元素鉱物の粉体の２種以上を混在させることによっても、人体の深部まで加温できる遠赤外線発生器を実現できる。なお、粉体の場合も、トルマリン鉱石の粉体とラドン発生稀有元素鉱物の粉体との組み合わせが最も効率的である。
第４項は、前記のようにラドン発生稀有元素鉱物のみ、又はトルマリン鉱石、炭素若しくはラドン発生稀有元素鉱物の２以上を含んでおり、しかも鏝状の本体部において発熱部に直接又はスペーサ部を介して一体化されていることを特徴とする第１項、第２項または第３項に記載の遠赤外線発生器である。
第１項、第２項または第３項に記載のように、ラドン発生稀有元素鉱物のみ、又はトルマリン鉱石、炭素若しくはラドン発生稀有元素鉱物の２以上を含んでいる遠赤外線発生材が、鏝状の本体部において発熱部に直接又はスペーサ部を介して一体化されているため、電気ヒーターなどの発熱部によって遠赤外線発生材が加熱されると、遠赤外線が人体の深部まで効率的に照射されて加温される。しかも、鏝状であるため、人体の加温は局部的となるが、容易に移動して、所望の位置を集中的に加温できる。
第５項は、前記の鏝状の本体部において、遠赤外線を照射する側を凸曲面状のガラス板とし、その内側の凹曲面内に遠赤外線発生材を設け、かつ本体部の形状寸法を、長円８〜２０ｃｍ、短円４〜９ｃｍ、厚さ１．５〜４ｃｍの楕円状としたことを特徴とする第４項に記載の鏝状の遠赤外線発生器である。
このように、遠赤外線を照射する側を凸曲面状のガラス板とし、その内側の凹曲面内に遠赤外線発生材を設けるため、滑りの良い凸曲面状のガラス板が人体や人体に被せた布などの上を円滑に摺動でき、施療が容易にできる。しかも、鏝状の本体部の形状寸法を、長円８〜２０ｃｍ、短円４〜９ｃｍ、厚さ１．５〜４ｃｍの楕円状としたため、人体の脇の下や顎の下などのような狭い部分や複雑な形状をした部分であっても、遠赤外線を発生する本体部を容易に挿入して円滑に摺動移動させ、目的とする患部に遠赤外線を照射することが可能となる。また、長円と直角方向に摺動すれば、広い面積を加熱できる。
第６項は、前記の発熱部が震動部に対し表側に設けてあり、該発熱部に対して直接又はスペーサ層を介して、前記のようにラドン発生稀有元素鉱物のみ、又はトルマリン鉱石、炭素若しくはラドン発生稀有元素鉱物の２以上を含んでいる遠赤外線発生器が一体化されていることを特徴とする第１項、第２項または第３項に記載の遠赤外線発生器である。
このように、ラドン発生稀有元素鉱物のみ、又はトルマリン鉱石、炭素若しくはラドン発生稀有元素鉱物の２以上を含んでいる遠赤外線発生器が、震動部に対し表側に設けてある発熱部に直接又はスペーサ層を介して一体化されているため、震動部の作用で人体の表面に震動を加えて、筋肉をほぐしながら、同時に遠赤外線を人体の深部まで効率的に照射して加温できる。
第７項は、前記の発熱部がドーム状面に対し内側に設けてあり、該発熱部の内側又は外側に直接又はスペーサ層を介して、前記のようにラドン発生稀有元素鉱物のみ、又はトルマリン鉱石、炭素若しくはラドン発生稀有元素鉱物の２以上を含んでいる遠赤外線発生器が一体化されていることを特徴とする第１項、第２項または第３項に記載の遠赤外線発生器である。
第１項、第２項または第３項に記載のように、ラドン発生稀有元素鉱物のみ、又はトルマリン鉱石、炭素又はラドン発生稀有元素鉱物の２以上を含んでいる遠赤外線発生器が、ドーム状面に対し内側に設けてある発熱部に直接又はスペーサ層を介して一体化されているため、ドーム状面の内側に人体が位置している状態で遠赤外線を照射すると、人体のドーム状面の内側に位置している広い部分が遠赤外線で効率的に照射され、しかも人体の深部まで加温される。したがって、人体の広い領域または首以下の全身若しくは大部分を加温するのに好適である。遠赤外線が人体の深部まで効率的に照射されるので、ドーム内の温度を従来に比べると低くでき、その結果、我慢の必要がなく、長時間の加温も可能となる。
第８項は、ハーブ成分を含む液体を含浸させた蒸タオルの上に押し当てるための前記の震動部を有する遠赤外線発生器と、前記の鏝状の発熱部を有する遠赤外線発生器と、前記のドーム状面を有する遠赤外線発生器と、の３点からなることを特徴とする第４項、第６項および第７項に記載の遠赤外線発生器である。なお、ハーブには、種々の「薬草」も含まれるものとする。
このように、薬草成分を含むハーブ成分の液体を含浸させた蒸タオルの上に押し当てるための前記の震動部を有する遠赤外線発生器と、前記の鏝状の発熱部を有する遠赤外線発生器と、前記のドーム状面を有する遠赤外線発生器と、の３点から構成されているため、これらの３点を順次使用することによって、人体を局部的に重点的に深部まで加温したり、広い領域または首以下の全身又は大部分を深部まで加温したり、あるいはハーブ成分を含む液体で濡らした蒸タオルを人体に被せた状態で、その上から震動式の遠赤外線発生器で加震して蒸タオル中の薬草成分ないしハーブ成分を皮膚から浸透させながら遠赤外線で加温したり、同時に汗を吸い取ったりできる。
蒸タオルの上から震動式の遠赤外線発生器で加震しながら、遠赤外線を照射する場合は、遠赤外線による加温によって、蒸タオルを効果的に保温して、短時間に冷めるのを抑制できる効果も奏する。
第９項は、ラドン発生稀有元素鉱物のみ、又はトルマリン鉱石、炭素若しくはラドン発生稀有元素鉱物の２以上が層状に積層されており、又は粉状に混在し、混在状態のまま又は混在状態で結合材によって一体に固められている遠赤外線発生器を有しており、（１）．人体の表面に、鏝状の発熱部を有する前記遠赤外線発生器を当てて、人体に遠赤外線を吸収させること、（２）．ドーム状面に対し内側に配置された前記遠赤外線発生器の内側に人体を位置させて、人体に遠赤外線を吸収させること、（３）．ハーブ成分を含む液体を含浸させた蒸タオルを人体表面に重ねて、その上から、震動部によって加震される前記遠赤外線発生器を押し当てて、人体に遠赤外線を吸収させること、の操作を、前記の（１）．→（２）．→（３）．の順に行なうことを特徴とする遠赤外線照射方法である。
このように、ラドン発生稀有元素鉱物のみ、又はトルマリン鉱石、炭素又はラドン発生稀有元素鉱物の２以上を含んでいる遠赤外線発生器で人体の深部まで加温する際に、最初に前記（１）．のように、鏝状の遠赤外線発生器を容易に移動して、所望の位置を局部的に重点的に加温した後、（２）．のように、ドーム状面の内側に人体を位置させて、人体の広い領域または首以下の全身若しくは大部分にわたって深部まで加温できる。
したがって、人体の特に重点的に加温する必要のある部分を確実に加温できると共に全身も加温できるので、加温漏れがなく、全身の健康増進も患部の温熱治療も効果的かつ確実に行なえる。
そして最後に、（３）．のように、ハーブ成分を含む液体を含浸させた蒸タオルを人体に被せた状態で、その上から震動式の遠赤外線発生器で加震して蒸タオル中のハーブ成分を皮膚から浸透させながら、仕上げの遠赤外線照射をしたり、汗を吸い取ったりするので、遠赤外線照射による温熱治療の最終仕上げができる。
したがって、温熱治療のフルコースが可能となり、人体の健康増進や温熱治療が行なえるだけでなく、局部的な遠赤外線照射や全身的な遠赤外線照射で発汗した後は、最後の遠赤外線照射によって、蒸タオルが冷めるのを遅らせながら、汗を吸い取ったり、ハーブ成分を皮膚から浸透させたり、さらに加震によるマッサージ効果も加わるので、気分的にも爽快となり、満足感が得られる。
【図面の簡単な説明】  図１は、鏝状の遠赤外線発生器の内部構成を示す平面図である。
図２は、図１のＡ−Ａ断面図である。
図３は、積層構造の遠赤外線発生層の層構成を示す概念図である。
図４は、混在構造の遠赤外線発生層を示す概念図である。
図５は、加震タイプの遠赤外線発生器の断面図である。
図６は、ドーム状の遠赤外線発生器であり、（１）は平面図、（２）は正面図である。
図７は、ドーム部の一部を拡大して示す断面図である。
図８は、図１、図２の鏝状の遠赤外線発生器の改良例であり、（１）は背面側から見た斜視図、（２）は遠赤外線発生側から見た斜視図、（３）（４）は凸曲面状ガラス板の内側構成を例示する断面図である。
図９は、人体の温度測定方法と測定位置を示す図である。
図１０は、脇の下の表皮温度の変化を示すグラフである。
図１１は、胸部の表皮温度の変化を示すグラフである。
図１２は、事例Ｎｏ．８の患者の治癒経過を示す図面代用写真である。
図１３は、事例Ｎｏ．９の患者の治癒経過を示す図面代用写真である。
図１４は、事例Ｎｏ．１２の患者の治癒経過を示す図面代用写真である。
図１５は、事例Ｎｏ．２１の患者の治癒経過を示す図面代用写真である。
【発明を実施するための最良の形態】  次に本発明による遠赤外線発生器および遠赤外線照射方法が実際上どのように具体化されるか実施形態を説明する。図１、図２は鏝状の遠赤外線発生器であり、図１は内部の平面図、図２は図１のＡ−Ａ断面図である。
図において、１は表側が凸曲面となった金属板であり、その凸表面に遠赤外線発生部２が積層されている。この遠赤外線発生部２は、金属板１の表面に層状に重ねてあり、この遠赤外線発生層２の凸表面を人体の表面に押し当てて温熱治療を行なう。なお、この遠赤外線発生層２の凸表面には、滑りを良くするための塗膜を積層してあってもよい。金属板１は、アルミニウム板でもステンレス板でもよいし、後述のようなガラス板でもよく、材質は特に限定しない。
金属板１の内側の凹曲面の中には、セラミックヒータ３がエポキシ樹脂部４などで接着固定されている。セラミックヒータ３の個数は任意であるが、図示のように複数個を分散配置した方が、遠赤外線発生層２の全面を均一にかつ確実に加熱できる。また、セラミックヒーター３の代わりにプレート状ヒーターを用いることもでき、遠赤外線発生層２への均一な加熱性にすぐれている。
隣接するセラミックヒータ３・３間には、温度ヒューズ５とサーミスタ６を金属板１にエポキシ樹脂部４などで接着固定してある。７は合成樹脂製のケースであり、前記のセラミックヒータ３や温度ヒューズ５、サーミスタ６などを内蔵する。すなわち、遠赤外線発生層２の部分が露出するように、窓孔を開けてあり、この窓孔から遠赤外線発生層２の凸曲面を突出させ、金属板１の外周の部分を窓孔の内縁に、断熱パッキン８を介して取付ける。
９はコードであり、セラミックヒータ３の電源コードや温度ヒューズ５、サーミスタ６などの信号線が通っている。１０は裏蓋であり、ネジ１１で裏蓋１０を合成樹脂ケース７のメネジ孔７ｂに取付け固定すると、裏蓋の押さえ部で金属板１の外周部１ａが窓孔の内面に押しつけられて固定される。なお、コード部９は、合成樹脂ケース７および裏蓋１０の取っ手部７ａ、１０ａを通って、電源部に引き出される。
この遠赤外線発生器において、遠赤外線発生層２は、前記のように、トルマリン鉱石、炭素又はラドン発生稀有元素鉱物の２以上の組み合わせで構成されている。すなわち、トルマリン鉱石、炭素又はラドン発生稀有元素鉱物を層状に積層した構成でもよいし、粉体を混在させてあってもよい。
すなわち、トルマリン鉱石の層と炭素の層とラドン発生稀有元素鉱物の層を２層又は３層に積層する。それぞれの層は粉状でもよいし、１枚の板状ないしシート状でもよい。２層構造にする場合の組み合わせは任意であるが、トルマリン鉱石の層とラドン発生稀有元素鉱物の層の組み合わせが最も遠赤外線の発生効率がよい。
トルマリン鉱石、炭素又はラドン発生稀有元素鉱物のそれぞれを粉状に形成し、任意の２以上を混在させてもよい。そして、混在させた状態で、耐熱性の合成樹脂などで固めて１枚の板状ないしシート状に形成してもよい。
ラドン発生稀有元素鉱物の場合は、トルマリン鉱石や炭素に比べると、単体でも遠赤外線照射作用が高いので、ラドン発生稀有元素鉱物単体で遠赤外線発生層２として用いることもできる。
このようにして形成した板状ないしシート状の遠赤外線発生層２を金属板１の表面に積層し、接着剤で接着固定することで、金属板１と遠赤外線発生層２との積層構造とする。ラドン発生稀有元素鉱物のみ、又はトルマリン鉱石、炭素若しくはラドン発生稀有元素鉱物の２以上の粉体を混ぜ込んだ樹脂を金属板１の表面に塗布し、必要に応じて焼き付けることもできる。金属板１は、アルミニウム製でもよいし、ステンレス製でもよく、材質は任意である。
また、金属板１を省き、遠赤外線発生層２自体を凸曲面状に形成して、その内側に前記のセラミックヒータ３、温度ヒューズ５、サーミスタ６などを合成樹脂で固定することもできる。また、金属板１に代えて、ガラス板を用いることにより、滑りを良くすることができる。この場合は、凸状の曲面ガラスを用い、その内側の凹曲面に遠赤外線発生層２を塗布もしくは、必要に応じて焼き付けることができる。ガラスの材質は通常の板ガラスと同じ材質でも良いが、機械的強度の大きい強化ガラス又は結晶化ガラスが好ましい。その内側のヒーターは、セラミックヒーターに代えて、プレート状ヒーターを用いると均一な加熱性が得られる。
この鏝状の遠赤外線発生器において、電源コード９を交流電源に接続し、電源スイッチをＯＮにすると、セラミックヒータ３が通電されて発熱し、その熱がエポキシ樹脂部４の接着層や金属板１、遠赤外線発生層２に伝わって、遠赤外線発生層２が加熱される。そして、サーミスタ６で設定された温度となるように温度制御される。
なお、この遠赤外線発生層２の温度が、例えば５０℃、６０℃、７０℃、８０℃となるように、サーミスタ６で温度制御される。そして、何らかの障害が起きて温度制御機能が故障したりして、例えば１００℃以上の異常温度に達すると、温度ヒューズ５が働いて、セラミックヒータ３の電源がＯＦＦとなるように構成されている。
この鏝状遠赤外線発生器の使用に際しては、取っ手部７ａ、１０ａを手に持って、凸曲面になっている遠赤外線発生層２を人体の血流促進などを要する患部に押し当てて、遠赤外線を人体の深部に照射する。同じ部位に長時間押し当てることによって、患者が熱すぎないように、適当に遠赤外線発生器を移動しながら、施療する。
そして、この鏝状の遠赤外線発生器における遠赤外線発生層２は、前記のように、トルマリン鉱石、炭素又はラドン発生稀有元素鉱物の２以上を含んでいるため、トルマリン鉱石、炭素又はラドン発生稀有元素鉱物などを単体で構成した遠赤外線発生器よりも遙に効果的に遠赤外線を発生して、人体の深部まで遠赤外線で加温できる。
図３、図４は、トルマリン鉱石、炭素又はラドン発生稀有元素鉱物の３つから成る遠赤外線発生層２の具体例であり、図３は積層構造を示す概念図、図４は混在構造の概念図である。
トルマリン鉱石とは、周知のトルマリンであり、電気石とも呼ばれる。トルマリン鉱石は、マイナスイオンも発するが、遠赤外線放射作用が非常に優れていることが知られている。
ラドン発生稀有元素鉱物とは、ラジウムやトリウムなど数多くの元素成分を含んだ稀有元素鉱物を粉体にした物質であり、無色無臭の不活性ガス元素であるラドンやトロンを発生し、周囲の空気をマイナスイオン化する作用がある。このラドン発生稀有元素鉱物は、天然の鉱物から選択して用いることもできるが、古来より温泉湯治に用いられている湯の花成分を用いることが好ましい。ラドン発生稀有元素鉱物は、本発明の発明者の実験結果によると、遠赤外線の発生効率が極めて高いことを確認しており、トルマリン鉱石や炭素よりも有効であった。炭素は、備長炭などの木炭の粉末が適しているが、竹炭などを用いてもよい。
図３において、（１）はトルマリン鉱石、炭素又はラドン発生稀有元素鉱物の中の任意の二つを２層に組み合わせた例であり、（２）はトルマリン鉱石、炭素およびラドン発生稀有元素鉱物の三つを３層に組み合わせた例である。
図３（１）において、１２ｔはトルマリン層、１２ｒはラドン発生稀有元素鉱物層であり、互いに積層されているが、互いに接着してもよいし単に重ねるだけでもよい。そして、背面側のラドン発生稀有元素鉱物層１２ｒを前記の金属板１に接着剤１４で接着又は積層してある。なお、トルマリン層１２ｔの表面には、遠赤外線発生層２の保護を兼ねて、滑りを良くするための潤滑膜１３を塗布ないし積層するのがよい。潤滑膜１３としては、合成樹脂が適している。
図示例とは逆に、ラドン発生稀有元素鉱物層１２ｒを表面側に配置し、トルマリン層１２ｔを背面側に配置してもよい。また、トルマリン１２ｔと炭素の層との２層構造、あるいはラドン発生稀有元素鉱物層１２ｒと炭素の層との２層構造を採用してもよい。この場合も、どの層を表側に配置してもよい。
図３（２）の３層構造は、金属板１側からラドン発生稀有元素鉱物層１２ｒ、トルマリン層１２ｔ、炭素層１２ｃの順に積層した構造になっている。この場合も、積層の順序は任意である。
これらの各層、すなわち、ラドン発生稀有元素鉱物層１２ｒ、トルマリン層１２ｔ、炭素層１２ｃは、単体の板状ないしシート状に形成してもよいが、粉状に形成した状態で、板状ないしシート状に形成してもよい。この場合、粉状体を合成樹脂などの結合材を用いて固めて、板状ないしシート状に形成してもよい。なお、それぞれの層１２ｒ、１２ｔ、１２ｃの層厚は特に限定しないが、例えば３層を積層した合計厚は１〜５ｍｍ程度が適している。しかしながら、この層厚に限定するものではなく、用途や装置のサイズなどによっては、この層厚以外でも採用できる。
これに対し、図４は、ラドン発生稀有元素鉱物、トルマリン又は炭素の粉体を混在させた構成である。図４において、○はラドン発生稀有元素鉱物の粉体であり、△はトルマリン粉体であり、Ｘは炭素の粉体である。したがって、図４では、これらの粉体を混在させた構成になっている。そして、使用に際しては、図４の混在状態のままで、例えば層状に形成して、発熱体と組み合わせて使用する構造でもよいが、図４の混在状態の粉体と結合用の合成樹脂とを混ぜて一体の固形状に固めて使用することもできる。
図２のように、金属板１の表面側に重ねる構成の場合は、混在状態の粉体を合成樹脂の結合材で金属板１の表面に塗布して一体化してもよいし、予め板状ないしシート状に形成された混在粉体を重ねて用いてもよい。この場合も、混在粉体からなる遠赤外線発生層２の外側を、保護と滑りを兼ねた潤滑膜でカバーするのがよい。
次に、前記のようなトルマリン層、炭素層、ラドン発生稀有元素鉱物層の３層を併用した場合の効果を表１で検討する。表１は、トルマリン層、炭素層、ラドン発生稀有元素鉱物層の３層を用いて温熱治療を行なった場合について、加温治療効果を比較する例であり、従来の単体の遠赤外線発生手段を３例、本発明による３層併用例を６例比較している。
2004075986.tif 000003
表１中のトルマリン鉱石、備長炭（炭素）、ラドン発生稀有元素鉱物、ガラス組成物、加熱硬化型エポキシ樹脂に関する数値は、配合量（重量部）である。
なお、これらの比較例は、図１、図２のような鏝状の温熱治療器で加温治療した結果である。さらに、発熱体の設定温度、温熱治療を実施する施術者、治療時間の各条件を同じにした上で、治療効果を複数回体験した複数の肩こり患者から得た評価でもって判定結果を示した。
その結果、実施例１〜６のように、トルマリン層、炭素層、ラドン発生稀有元素鉱物の３種類を組み合わせた物については、いずれも温熱治療効果がある結果を得た。しかも、いずれの場合も、トルマリン層、炭素層、ラドン発生稀有元素鉱物の添加量が増すほど、その効果の増大が見られる。
なお、遠赤外線発生層２の焼付けに用いたガラス組成物、接着に用いたエポキシ樹脂は何れもその温熱治療効果に影響を与えていない。すなわち、表１に示す３種類の配合物はそれぞれが温熱治療効果を持ち、さらにこれらを組み合わせることは効果の増大に寄与するものである。従来構成の比較例はいずれも、本発明の３種類の配合物を用いていないためか、治療効果の低いものであった。
図８は、図１、図２の鏝状の遠赤外線発生器の改良例であり、（１）は背面側から見た斜視図、（２）は人体に当てて遠赤外線を発生する側から見た斜視図である。この実施形態における遠赤外線発生器は、人体と接する側が凸曲面となったガラス板１ｇであり、その内面の凹曲面中に前記のような３種類の配合物からなる遠赤外線発生材を埋め込んである。このガラス板１ｇは楕円状をしており、その外周が合成樹脂製のケース７で覆われている。この合成樹脂ケース７の中には、前記のようにヒータや制御回路素子などを内蔵し、遠赤外線発生器の本体を構成している。この本体部７ｂの長円の寸法Ｄは１３．５ｍｍであるが、小型器の場合は約８ｃｍ程度、大型器の場合は約２０ｃｍ程度も可能である。短円部ｄの寸法は、約７ｃｍ程度であるが、小型器の場合は約４ｃｍ程度、大型器の場合は約９ｃｍ程度も可能である。厚みＴは２．５ｃｍであるが、約１．５ｃｍ程度の薄型や約４ｃｍ程度の厚型も可能である。取っ手部７ｈを手で握った場合に、握った状態の指が患者の人体その他に当たらないように、１．５ｃｍから３ｃｍ程度の空間を開けてある。その結果、本体部７ｂに対し、取っ手部７ｈは段差を設けて、１段高くしてある。
前記のように、遠赤外線発生部やヒータ、制御回路素子などを有する鏝状本体部７ｂの形状寸法を、長円８〜２０ｃｍ、短円４〜９ｃｍ程度、厚さ１．５〜４ｃｍ程度の楕円状としたため、人体の脇の下や股の間、顎の下、耳介の後ろ側などのような狭い部分や複雑な形状をした部分であっても、容易に挿入して円滑にスライド移動させ、目的とする患部に遠赤外線を照射することができる。ガラス板１ｇの実物は、厚さ２ｍｍ、長円側の内径は半径３５５ｍｍ、短円側の内径は半径７８ｍｍである。結局、全体として凸球面状となり、内側の凹球面部は、中央部が最も深くなる。なお、本体部７ｂの背面は平坦状でもよいが、多少の凸曲面状にしてもよい。
図８の（３）（４）は凸曲面状のガラス板１ｇの内部構成を示す断面図であり、図１、図２の金属板１に代えて、滑りの優れたガラス板を用いている。この実施形態では、凸曲面状のガラス板１ｇが表面に露出しており、内面は凹曲面状に窪んでいる。そして、この凹曲面状の窪みの中に遠赤外線発生部２を埋め込んで、ヒーターと接する構造にしてある。すなわち、（３）のように、凹曲面中に埋め込んである遠赤外線発生部２中に図１、図２のようなセラミックヒータ３を埋め込んで接着してある。あるいは、（４）のように、凹曲面中に埋め込んである遠赤外線発生部２の内面（ガラス板１ｇとは反対側の面）を平坦にして、プレート状ヒーター３ｐを重ねて接触させることもできる。プレート状ヒーター３ｐは、平板上に発熱体をパターン化してあるため、遠赤外線発生部２の全面に重ねることによって、遠赤外線発生部２の全面を均一に加熱するのに適している。なお、ガラス板１ｇの厚さは１〜３ｍｍ程度がよい。
このように、人体と接して摺動する部分が凸曲面状のガラス板１ｇとなっているため、人体や人体に被せた布などの上で滑り易くなり、患部の上を円滑に摺動移動できる。図２のように金属板１を用いた場合は、熱伝導が良く、しかも遠赤外線発生層２が薄いために、ヒーターから発生した熱がダイレクトに効率良く人体に伝わり、人体には刺激が強すぎる。つまり、低温の人体に接して温度降下すると、それを感知して直ちにヒーターが通電されて、瞬時に人体も加熱されるので、人体表面は温度降下が殆ど発生せず、熱刺激が強すぎる。そのため、ガン患者や老人、肌の弱い人などのように熱刺激に弱い患者にとってはストレスとなり、温熱治療に抵抗を来すことになる。
これに対し、ガラス板は金属板に比べて熱伝導が緩慢となり、また凹曲面中の遠赤外線発生部２は、薄い層状ではなく、凹球面状中央の最も深い部分では、少なくとも３〜８ｍｍ程度の厚みが有るため、ヒーター部から人体への熱供給に遅れが生じる。つまり、ガラス板１ｇが低温の人体に接することによって温度降下を来した場合に、金属板のように直ちにヒーターから熱供給されるのではなく、緩慢な熱補充となる。その結果、ガラス板１ｇが接した一瞬だけは熱く感じても、その後のヒーターからの熱補充が緩慢でソフトに感じるので、熱刺激が強すぎてストレスを来すことも抑制される。
表２は、このような凸曲面ガラス板を採用した改良型の遠赤外線発生器を用いた場合の加温治療効果を比較したものであり、表１と違って、図８のように凸曲面のガラス板１ｇを用い、しかもトルマリン鉱石、備長炭（炭素）、ラドン発生稀有元素鉱物の３種を混合した遠赤外線発生部をガラス板凹部中に埋め込んだ構成の遠赤外線発生器の使用効果を追加してある。
2004075986.tif 000004
この表２から明らかなように、上記施療例で肩こり治療に効果が認められたＮｏ．７について、治療効果の要因となる遠赤外線の効果について測定を実施した。図９はその際の測定方法と測定位置を示す図であり、脇の下に熱電対センサーを挟んだ状態で、腕の外側に遠赤外線発生器を押し当てて施療範囲を往復スライドして遠赤外線を照射し、温熱施療を開始した。その結果、図１０のように、脇の下の表皮温存は上昇を始め、５分後には約１℃の温度上昇が計測された。したがって、成人男性の上腕を通して熱が腕の反対側まで深く伝達されていることが推定される。なお、腕の太さは直径約１２ｃｍ、太さ１ｍｍの熱電対センサーを用いて測定した。
図１１は、成人（男性）の右胸部に太さ１ｍｍの熱電対センサーをテープ止めして、バスタオルの上に寝た状態で、背面より温熱施療を実施した場合の表皮での温度上昇（℃）である。この男性の胸厚は２３ｃｍである。図示のように、約６分あとには、約０．５℃以上の温度上昇が確認された。したがって、右胸部の様な厚い身体内をも熱が伝達されている事が計測された。図１０、図１１における鎖線は従来の温熱器を用いた場合であり、全く温度変化はみられない。このように、本発明による遠赤外線発生器によると、１０〜２０ｃｍ以上の人体深部まで加温して、温度上昇できることが明らかである。
前記のように、凸曲面状のガラス板の内面にトルマリン、炭素、ラドン発生稀有元素鉱物の３種を混合して埋め込む構造を例示したが、トルマリンとラドン発生稀有元素鉱物の２種を混合して埋め込み、炭素はヒーターと兼用も可能である。また、ガラス板の凹曲面すなわち凹球面中に埋め込むので、層状は困難ではあるが、不可能ではない。特に、ガラス板曲面をかまぼこ状にした場合は、層状も可能である。
このように遠赤外線発生部にトルマリン鉱石、備長炭（炭素）、ラドン発生稀有元素鉱物の３種を採用することにより、遠赤外線を効果的に発生して、人体の深部まで照射できることが判明した。そこで、この遠赤外線発生手段を、鏝状の温熱器のように遠赤外線照射によって人体の患部を重点的に加温する器具以外に、ドーム状の遠赤外線発生器に採用して、人体の広い領域または首以下の全身を深部まで深く加温することが可能となる。しかも、ハーブ成分を含む液体を含浸した蒸タオルを人体に被せ、その上から電動式の遠赤外線発生器で加震しながら遠赤外線照射をする方法も可能であり、さらには、これら三つの手法を組合わせた温熱治療のフルコースも可能である。
図５は前記のような加震手段に本発明による遠赤外線発生器を採用した実施形態の断面図である。左右に取っ手（ハンドル）１５ａ、１５ｂの付いた本体ケース１６の中に、モータＭで駆動される加震用のバンランスウェイト１７が内蔵されている。
本体ケース１６の外側には、バンランスウェイト１７による震動で駆動される金属製の震動板１８を有し、この震動板１８に、断熱用耐火材からなる断熱材１９を挟んで発熱体すなわちヒーター２０を取付けてある。
この発熱体２０は、図１、図２の鏝状の場合と同様な温度制御回路を装備してある。また、シリコンラバーヒーター又はモールドプレスヒーターなどの小型で加振に強いものを取り付ける。
そして、この発熱体２０に、本発明による遠赤外線発生層２を積層してある。すなわち、発熱体２０の面に、炭素層２ｃ、トルマリン層２ｔ、ラドン発生稀有元素鉱物層２ｒの順に積層してある。炭素層２ｃは、炭素繊維の布やフェルト、ペーパーでもよい。トルマリン層２ｔは、トルマリン鉱石を練り込んだ布やフェルト、ペーパーでもよい。また、ラドン発生稀有元素鉱物層２ｒは、ラジウムやラドン成分を含む放射能泉から得た乾燥固化物である。
そして、このような層構成の全体を例えばウレタンゴムなどの被覆体２１で包囲し、間の空間にエポキシ樹脂部などの充填物２２を充填して固めてある。なお、炭素層２ｃとトルマリン層２ｔとラドン発生稀有元素鉱物層２ｒは、予め積層し一体化して、遠赤外線発生層２を形成しておいてもよい。
この加震式の遠赤外線発生器は、左右の取っ手１５ａ、１５ｂを左右の手に持って、装置全体を操作するが、被覆体２１の下面２１ａを人体に当てた状態で、モータＭを始動して震動を起こさせると、震動によるマッサージ作用を加えながら、遠赤外線発生層２によって遠赤外線を人体の深部に照射して加温する。この場合も、両手で移動しながら、患部を重点的に遠赤外線を照射できる。
なお、人体２３の上に蒸しタオル２４などを掛けて、その上から本装置で加震と遠赤外線の照射を行なうと、より効果的である。すなわち、ハーブないし薬草などの成分が溶け出した液体を含浸させた蒸しタオルを人体に掛けて、その上から加震しながら遠赤外線を照射すると、ハーブないし薬草などの成分が人体に震動で押し込まれると共に、マッサージ作用とハーブないし薬草などの薬効と遠赤外線照射との相乗効果によって、より効果的である。
しかも、蒸しタオル２４によって、人体から発した汗を吸収できるので、図１、図２の鏝状の遠赤外線発生器で加温治療したり、図６のドーム型遠赤外線発生器で全身加温した後に使用すると、治療による疲労を癒すと共に加温治療による汗も吸収できるので、気分的にも爽快となる。したがって、種々の遠赤外線加温治療を行なった後の最終仕上げに好適である。
図６は、ドーム状ないしトンネル型の遠赤外線発生器の実施形態であり、（１）は平面図、（２）は正面図である。Ｄ１、Ｄ２は、半円筒状すなわちドーム状の遠赤外線発生器であり、大径のドームＤ１の中に小径のドームＤ２が入るようなサイズになっている。すなわち、大径のドームＤ１の内径より小径のドームＤ２の外径がわずかに、あるいは多少小さい。
その結果、ドーム中の人体２３の胴部のみを加温する場合は、大径ドームＤ１又は小径ドームＤ２の片方のみを使用し、足先まで加温する場合は、図（１）のように、小径ドームＤ２の端部の上に大径ドームＤ１の端部が重なる程度にして、大小のドームＤ１、Ｄ２の療法を用いる。
大小のドームＤ１、Ｄ２の一部を拡大して示すと、図７のように多層状に構成されている。これらの層の中で必要不可欠の層は、発熱層すなわちヒーター層２５と、その内側の遠赤外線発生層２６であり、それぞれの層が半円筒状の曲面状に形成されている。ヒーター層２５を遠赤外線発生層２６の内側に配置してもよい。
遠赤外線発生層２６は、図５の加震式遠赤外線発生器の場合と同様に、発熱層２５の内面に、炭素層、トルマリン層、ラドン発生稀有元素鉱物層の順に積層してある。炭素層は、炭素繊維の布やフェルト、ペーパーでもよい。トルマリン層は、トルマリン鉱石を練り込んだ布やフェルト、ペーパーでもよい。また、ラドン発生稀有元素鉱物層は、ラジウムやラドン成分を含む放射能泉から得た乾燥固化物である。
そして、これらの遠赤外線発生層２６の内面には、必要に応じて、内面保護層２７を設ける。この内面保護層２７は、遠赤外線発生層２６側は、綿布又はフェルトからなる緩衝材であり、ドーム内面側は、綿布又はビニールレザーからなる内側外装である。
また、発熱層２５の外面には、必要に応じて、外面保護層２８を設ける。この外面保護層２８は、発熱層２５の上に、耐火断熱材の層、熱反射板、緩衝材の層、外側の外装の順に積層してある。耐火断熱材の層は、布やフェルト、ペーパーから成り、熱反射板は、厚さ１ｍｍ程度のステンレス板であり、緩衝材の層は、綿布又はフェルトであり、外側外装は内側外装と同様に綿布又はビニールレザーからなっている。
発熱層２５と遠赤外線発生層２６との間には、遠赤外線発生層２６の過熱防止のために、布やフェルト、ペーパーから成る耐火断熱材の層を介在させるのがよい。発熱層２５は、図１、図２の鏝状の場合と同様な温度制御回路を装備していることは言うまでもない。発熱層２５は、シリコンラバーヒーターが適しており、トンネル内に１枚タイプ又は２枚以上の分割タイプになっている。発熱部は折り曲げ自由の１枚タイプのヒーターがよい。
このドーム状遠赤外線発生器の使用に際しては、図６（２）のように、マット２９上で、ドーム内の中心に人体を仰向け状態に寝かす。マット２９は、人体が冷えないように、発熱体を内蔵してある。この発熱体の上側に、本発明による遠赤外線発生層を配置してあるとなおよい。
そして、発熱層２５に通電して発熱させると、その熱で加熱された遠赤外線発生層２６から発した遠赤外線は、鎖線の矢印で示すように、ドーム中心に寝ている人体２３に集中し照射される。
また、発熱層２５の外側に、ステンレス板からなる熱反射板が有るため、遠赤外線発生層２６から発した遠赤外線は、半円状に加工されたステンレス板によって反射され、トンネル中心部に集中される。
このように、ドーム状の遠赤外線発生器によると、大小のドームＤ１、Ｄ２の両方を使用すると、人体の胴部から足先まで、すなわち首から下の全身を加温でき、片方のみ用いると、胴部又は足だけ、或いは下腹部の加温もできる。したがって、比較的広い領域にわたって加温する場合に適する。
前記のように鏝状の温熱器で患部付近の血流をよくし、老廃物や有害物質を散らしたら、それを排泄する必要がある。そこで、マイナスイオン効果を加えた遠赤外線のドームに入り、汗をたっぷりとかくのである。遠赤外線の特徴は、「内部まで熱を通す」ことであり、それも皮膚の深部まで熱が入り、長い時間保つので、温熱効果が発揮されることになる。遠赤外線が身体の深部まで到達して熱エネルギーに変わり、体内を芯から温めて、血管を拡張させ、血液の循環を良くしてくれる。また、遠赤外線は水の分子運動を活発にする特徴があり、それで血液や体液の流れが改善され、細胞が活性化する。その結果、新鮮な酸素を多く体内の細胞に送り込み、新陳代謝を促進させる。遠赤外線を浴びると皮脂腺が活性化して、たまった皮脂を分泌する。それと一緒に、環境ホルモンや重金属も排出されていく。ドームに入ると、汗だけでなく皮脂線からも有害物質が排出されるのである。
前記の冷え防止のマット２９上にマイナスイオンマットを重ねるか、マット２９をマイナスイオン発生兼用のマットとするのが有効である。このように、マイナスイオンを発生させるベットにしておくと、ここに寝て、背中の正中線（脊髄）からマイナスイオンを取り込むことができる。正中線は神経の中枢に当たるので、ここからマイナスイオンが入ると、体内を流れている電気の流れがよくなる。また、マイナスイオンには自律神経のうち副交感神経を優位にし、痛みをやわらげたりリラックスさせる作用がある。それに活性酸素を除去する作用もあるので、痛みの緩和とガンなどの疾病の改善という、両方の作用が得られる。マイナスイオンは、鼻や口などの呼吸から取り入れるより、背中の正中線から取り入れる方がずっとたくさん体内に取り込むことができる。
なお、図５の加震タイプも図７のドーム構造も、トルマリン層、炭素層、ラドン発生稀有元素鉱物層の３種の層状構造だけでなく、図８の鏝状の場合と同様に３種混合や２種混合も可能である。また、炭素のみは発熱体と兼ねることも可能である。
本発明の温熱治療法は、図１、図２の鏝状、図５の加震タイプおよび図６、図７のドーム状の３種類を順次使用すると最も効果的である。いま、図１、図２の鏝状による温熱治療を（１）、図６、図７のドームタイプによる温熱治療を（２）、図５の加震タイプによる温熱治療を（３）、とする。
（１）は、人体の表面に鏝状の発熱部を有する前記遠赤外線発生器を当てて、人体の深部に遠赤外線を吸収させること、（２）は、ドーム状面に対し内側に配置された前記遠赤外線発生器の内側に人体を位置させて、人体に遠赤外線を吸収させること、（３）は、ハーブ成分を含む液体を含浸させた蒸タオルを人体表面に重ねて、その上から、前記の加震式の遠赤外線発生器を押し当てて、人体に遠赤外線を吸収させて加温する。
したがって、（１）のように、人体の患部あるいは要所に集中的にかつ深く注熱する温熱治療は、最初に行なうのがよい。（２）のドーム中で全身的に遠赤外線照射すると、サウナ内の場合と同様に、全身的に発汗し、人体が汗で濡れているので、ドーム内温熱治療の後に、鏝状による遠赤外線照射は適しない。汗で濡れていると、遠赤外線発生器の移動の潤滑さを欠き、また汗で濡れた部分は火傷を発生しやすい状態となっているからである。
前記のように、ドーム中での遠赤外線照射は、全身的な発汗・代謝を目指すものであるから、これを行った後は体表が汗で濡れているので、最後に蒸タオルの上から加震と遠赤外線照射を行なうと、汗を吸収できる。また、ハーブの液体で濡れた蒸タオルを掛けるので、主としてリラクゼーションを目的とするものであるから、３種の温熱治療の最後に行うのが最も効果的である。
すなわち、癒し効果とリラクゼーションをかねて、ハーブマッサージをおこなう。リラックスでき、気持ちがよければ副交感神経が刺激され、免疫力も高まる。温熱療法は「全身療法・根本療法・総合療法」であり、マイナスイオン発生と遠赤外線の作用と温熱の直接的作用で、難病も改善される。
以上のように、（１）で意図的に患部付近に注熱し、自律神経を活性したリンパの流れをスムーズにし血流を増強して細胞の代謝を促進し老廃物を散らしたり吐き出させるので、鏝状の遠赤外線発生器の果たす役割は甚大である。そして、老廃物や有害物質を散らしたり吐き出させた上で、（２）のトータル発汗作用で異質不要のものを一斉に体外に排出するというのが理に適ったものである。
さらに、（３）を用いて行うリラクセーション施術に於いて、薬草効果を活用する。すなわち、（３）でマッサージを行うとき、薬草の蒸気を含ませたタオルを人体に押し当て、その薬効成分を（３）で押し込むようにして行う。これに用いる薬草は、古来より痛み止め効果を言われているものを基本とした、アロマテラピー効果も期待できるものである。
五感の中でも「匂い」は、脳の感情中枢との結びつきが最も強く、香りが心と体にプラスに働くことは世界の生化学・理化学の分野での研究結果で実証されている。老いにも若きにも、体調のいい人にも悪い人にも、壮健の人にも病弱の人にも、薬草マッサージは活力を与え、病を防ぎ気持ちも癒す。
したがって、（３）の加震タイプは、マッサージ作用に加え、独自の温熱治療と蒸タオル効果を兼ね備えており、それらの及ぼす相乗効果は計り知れない。この薬草とマッサージのもたらす独特の幸福感が種々の体内効果で健康に結びつくということは数々の研究結果が語るものである。このようなマッサージ効果やアロマテラピー効果は、緊張している筋肉をリラックス弛緩させるので、前記のようにして老廃物や有害物質を排出し、かつ新鮮な酸素を供給した良質の血液の流れが円滑となり、患部を含めた全身を健康な身体へと移行させるのに有効である。
次に、参考までに、本発明の遠赤外線発生器を実現するに際して検討した実施例を説明しておく。本発明者らは温熱治療器を構成する発熱体３・２０・２５、熱を効率よく伝える金属板１、この金属板１に発熱体を固着させるための接着剤、金属板の表面コート膜、このコート膜に混ぜるための練り込む材質について検討した結果、従来の温熱治療器には見られない、人体に効率よく注熱できる温熱治療器を完成させるに至った。
本発明に使用する発熱体を、多くの発熱体の中から、大きさ、形状、電気容量、耐熱性等を検討した結果、アルミケースタイプヒーター、セラミックケースタイプヒーター、シリコンラバーヒーター、シーズヒーター、モールドプレスヒーターが選ばれ、いずれもが適用できることがわかった。ただ、これらの発熱体を温熱治療器に組み込んだ後に、人体への注熱性能を比較検討した結果、セラミックケースタイプヒーターとシリコーンラバーヒーターがより好ましい発熱体であることがわかった。
図１、図２の発明では、発熱体からの熱を良好に伝える金属板１を用いている。この金属板は温熱治療器として人体の一部に押し当てた時の蜜着性と強度を得るために形状は凸状とし、材質はアルミニウムかステンレスでプレス成型したものを用いる。この金属板の凸部表面に後述するコート材を蜜接させる必要があるが、熱膨張係数の大きいステンレス板でも、形状が小さい場合には、コート材が剥がれることはなく使用できることがわかった。また、アルミニウム板は問題なく使用することができる。
一方、金属板に代えてガラス板も使用できる。ガラス板は滑りをよくする場合に用いると効果がある。人体の一部に押し当てた時に密着性と強度を得るために形状は凸状とすることが好ましい。材質は通常の板ガラスと同等のソーダガラスも使用できるが、機械的強度の大きい強化ガラス又は結晶化ガラスを用いることが好ましい。ガラス板を用いる場合は、ガラス板凹面に後述するコート材を密着させたのち、適切な乾燥又は熱処理が必要である。
上記プレス成型した金属板やガラス板の凸状面裏面（凹面側すなわち温熱治療器の内部側）には発熱体を蜜着させる必要がある。蜜着させるためには、勘合法、溶接法、接着法があるが、発熱体からの熱伝導性や強度、作業性について検討した結果、接着で問題ないことがわかった。つぎに、接着剤の材質について加熱硬化型エポキシ樹脂、シリコーン接着剤，レゾール型フェノールレジンを選び、熱伝導性や接着強度を検討したが、いずれも遜色ないことが判った。
温熱治療器として人体の一部に凸状の金属板を直接押し当てると火傷の危険があることから、熱緩和と耐磨耗性を考慮したコート材を前記凸状の表面に蜜接させる必要がある。発明者らは有機系コート材と無機系コート材について検討を重ねた結果、長期間の使用に対して耐磨耗性に優れ、すべりが良く、温熱治療器に組み込んだ後に、人体への注熱性能において、無機系コート材は良好な性能を示した。一方、安価なコート材として、有機質の加熱硬化型エポキシ樹脂などは若干耐磨耗性が劣るものの、コート材としても十分実用できることがわかった。無機系コート材の中で、軟化点６８０℃以下のガラス組成物はステンレス板で使用でき、軟化点６５０℃以下のソーダ−石灰系ガラス組成物や低温で溶融軟化するフリット組成物などはアルミニウム板で使用できる。ガラス板に対しては凸状面裏面に使用する観点から、有機系と無機系コート材のどちらでも使用できるが、加熱硬化型接着剤が使いやすい。
本発明の特徴である無機系コート材の中に混ぜて、温熱治療効果を高める「遠赤外線発生素材」について、発明者らは長年の温熱治療経験と調査から発案し、検討した結果、その効果が顕著なものであることが判って本発明に至った。それら「遠赤外線発生素材」は次の３つの成分である。
（１）．トルマリン鉱石：これは別名電気石とも言われ、その遠赤外線効果は広く知られている天然鉱石である。（２）．ラジウムやラドン成分を含む放射能泉から得た乾燥固化物：これはラジウムやラドンを含む放射能温泉から得たもので、効能は昔から良く知られ、リュウマチ、痛風、切傷などの医療にも利用されている。（３）．炭素：炭火焼きは食材の内部まで火が良く通ることから、備長炭に代表される遠赤外線効果は周知のものである。これら「遠赤外線発生素材」を無機系コート材に混合する場合の粒子径は（１）．（２）．（３）．ともＪＩＳ標準篩．０．１２５ｍｍパス、好ましくは０．０７４ｍｍパスとする。これら天然に産する１種のみ又は２種以上の配合物を混合した後、前記した無機コート材の中に、混ぜて練り込む。（１）．〜（３）．の「遠赤外線発生素材」は、無機系コート材１００重量部に対して各々１〜３０重量部、好ましくは３〜１５重量部とする。この添加量が１重量部より少ないと効果が得られず、３０重量部を超えると練り込みができず、満足なコート材が作製できない。
無機系コート材に規定の「遠赤外線発生素材」を加えた混合物に対して、ＣＭＣ（合成のり剤）やパルプ廃液などの有機質バインダーと粘土などの無機質バインダーを組合せて０．５〜２．０重量％とさらに水を加えてよく混ぜ、延びと同時に保形能が得られる様に調整する。この混練物を金属板の凸部表面に均一な厚さで塗布した後さらに室温で半日以上乾燥した後、さらに４０〜１１０℃でゆっくりと加温乾燥した後、金属板がステンレスの場合は６８０℃以下で、アルミニウム板の場合は６５０℃で、ガラス板の場合は用いるガラス材質の軟化温度以下で保持した電気炉内の中に入れて焼き付ける。
焼付け時間は、焼き上がり状況を見ながら判断する。「遠赤外線発生素材」（１）．（２）．は、無機系コート材と共に６８０℃以下の高温で焼き付けるために変質が考えられる。このため（１）．（２）．サンプルについて、６８０℃で２０分加熱前後の試料についてＸ線回折法で鉱物の同定を試みたが何ら変化は認められなかった。また、「遠赤外線発生素材」（３）．を使用して焼き付ける場合は、高温電気炉内に不活性ガスを吹き込むなどの還元雰囲気下で焼き付ける必要がある。  温熱治療効率の高い温熱治療器は、発熱体と金属板やガラス板、そしてそれらを接合する接着材、金属板の凸状表面やガラス板の場合は凸状面の裏面に無機系コート材や有機系コート材共に遠赤外線発生素材を組み合わせる事によって初めて達成された。さらに、発熱体に家庭用電源を用いて１００℃以下で温度制御できる通常使用される電子回路温度制御装置を組み合わせることによって、従来の温熱治療器には見られない、人体に効率よく注熱できる温熱治療器を完成させるに至った。
以上のように、本発明による温熱治療器用の遠赤外線発生器は、低温領域でも遠赤外線の放射率の高いトルマリン鉱石と炭素、そしてラドンやラジウム成分を含む放射能泉から得られた乾燥固化物から選ばれた１種または２種以上を混合して遠赤外線発生素材とする。これを軟化点６８０℃以下のガラス組成物と混和したのちに金属板の表面に膜を焼き付ける。またこの軟化点６８０℃以下のガラス組成物の代わりに通常市販されている耐熱性の有機質レジンを使って遠赤外線発生素材と練和したのち金属板又はガラス板の表面に膜を接着させる。そして、これらの膜は、１００℃以下で温度制御された発熱体によって加温されることを特徴とする。
前記のような鏝状の遠赤外線発生器で患部を重点的に遠赤外線照射した後、図６、図７のようなドーム状の遠赤外線発生器の中で全身的に遠赤外線照射することによって、遠赤外線の照射漏れや照射不足を解消すると共に体内の毒素などを排出した後、ハーブ成分を含む液体を含浸させた蒸タオルを人体表面に重ねた状態で、前記の加震式の遠赤外線発生器を押し当てて、人体に遠赤外線を吸収させて加温することにより、本発明による遠赤外線温熱療法の全コースを完了することになる。
次に、医療機関で診断された各種の病名を有する人に対して、事前に承諾を得た上で、施療前の病状、前記三つの手法を組合わせた温熱治療フルコースの施療経過や現状と効果を事例として列挙しておく。なお、施療頻度は、平均的して週に２〜３回程度である。
１．膠原症：成人女性５４才、顔面むくみ、薬漬け、全身に痛みあり。
７ケ月治療。むくみ、全身の痛みも皆無。病院での血液検査で異常なし。
２．乳がんからの全身転移：成人女性３９才、Ｈ１５年がん手術で転移。抗がん剤４回使用。骨ずい、リンパ等へ転移。痛みによる車イス使用。モルヒネ使用（３ケ月）。
１ケ月でモルヒネ不使用、車イス不使用、痛みなし。３ケ月から週３回で予防治療中。病院検査で異常なし。元気となる。
３．病院で原因不明と云われる：成人女性７１才、全身の痛みと歩行不能。
４ケ月で歩行可。予防の為１回／週。旅行もしている。
４．子宮ガン、腸閉塞、肺への転移：成人女性６３才、放射線の後に尿失禁。１年で転移がなし。腸閉塞も改善。仕事に復帰した。
５．乳がん、リンパ転移：成人女性３８才、放射線治療を勧められるが、温熱治療にかかる。
７ケ月でリンパ転移なくなる。元気に主婦中。
６．肝臓ガン（余命２ケ月）：成人女性６６才、腹水がたまり不整脈、下半身のむくみ。
８ケ月治療、５年後でも元気。
７．骨ガン：成人女性７２才、背中に激痛、肝臓へ転移。
７ケ月治療、病院検査で異常なし。
８．尋威染症（難病手帳保有者）：成人男性７３才、全身にタダレ状態、痛み、かゆみあり。（写真添付）
６ケ月で完治、元気で労働している。
９．乳がん再発：成人女性４６才、乳がん摘出手術後に他に転移。
６ケ月で異常なし、職場へ復帰している。（写真添付）
１０．リウマチ：成人女性５６才、全身の関節の変形と激痛、多量の薬使用。
１年で痛みとれ、薬使用せずに２年で変形まで改善する。職場へ復帰。
１１．脳腫瘍：小学３年男性９才、手術不可能から温熱治療をする。
施療６ケ月で学校へ行っている。元気に通学中。
１２．全身性アトピー：小学１年男性７才、全身にタダレあり。かゆみで不眠。睡眠薬使用。
２ケ月で完治。（写真添付）
１３．膠原症：中学２年女性１４才、薬の副作用で全身の痛みとむくみ。
施療７ケ月で学校へ行けるようになる。ＧＯＴ、ＧＰＴ値正常。
１４．ヘルニア：中学２年女性１４才、腰の激痛、手術を勧められていた。
施療２ケ月で元気、手術必要なし、元気に通学中。
１５．ぜん息：小学５年男性１１才、発作がひどく酸素吸入が必要であった。
施療６ケ月後に元気になる。
１６．うつ病：成人女性６５才、７年間病院の入退院。
施療６ケ月で薬が不要となる、１年で仕事が出来る状態、現在元気で仕事に復帰。
１７．自律神経失調症：成人女性４５才、９年間睡眠薬と安定剤を使用。
施療６ケ月で薬不要、その後仕事に復帰、現在元気で仕事に精を出している。
１８．頸椎ヘルニア：成人女性５６才、頭痛薬使用、安定剤使用（２０年間）。
施療１年で薬は不要、精神も安定化、仕事が出来る状態。
１９．クローン病（難病指定）：成人男性３２才、食事が摂取できず、病院で流動食。栄養剤で生命維持する。
施療４ケ月でかなり改善。７ケ月で普通食が食べられるようになる。仕事が出来るようになっている。
２０．潰瘍性大腸炎（難病指定）：成人女性４１才。下痢と腹痛が激しい。
施療４ケ月で痛みがとれ、薬を使用せずになる。便が改善。７ケ月で体重が増えて、元気になっている。
２１．白血病：成人男性６２才。全身の痛み、歩行困難。
施療２ケ月で食欲あり。８ケ月でマーカー正常。１年経って元気でいる。（写真添付）
図１２は図面代用写真であり、事例Ｎｏ．８の患者の治癒経過である。写真（１）．は治療約２ケ月後、写真（２）．は治療約３ケ月後、写真（３）．は治療約４ケ月後、写真（４）．は治療約５ケ月後である。このように、約５ケ月程度の本発明温熱治療によってきれいに完治している。不治で余命２か月と言われた患者がこのように確実に治癒して来たため、感激した患者は男泣きして、話しもできないほどだった。現在は元気に過ごしている。
図１３は、事例Ｎｏ．９の患者の完治状態を示す図面代用写真であり、施療開始から約６ケ月後である。このように、ほぼ完治している状態が分かる。
図１４は、事例Ｎｏ．１２の患者の治癒経過を示す図面代用写真であり、写真（１）．は治療約１ケ月後である。写真（２）．は治療約２ケ月後であり、完治した状態である。この患者の温熱治療効果を伝え聞いたアトピーの子どもたちで、本発明者の治療院は、まるで保育所のような賑やかさだった。
図１５は、事例Ｎｏ．２１の患者の治癒経過を示す図面代用写真であり、写真（１）．は右脇腹の施療約１ケ月後、写真（２）．は右脇腹の施療約２ケ月後である。写真（３）．は左脇腹の施療約４ケ月後、写真（４）．は左脇腹の施療約５ケ月後、写真（５）．は左脇腹の施療約６ケ月後である。このように、内出血の状態が完全に消失している。
【産業上の利用可能性】  以上のように、本発明によると、第１項は、発熱部の熱を受けて遠赤外線を発して温熱治療する器具に用いる遠赤外線手段において、ラドン発生稀有元素鉱物のみ、又はトルマリン鉱石、炭素若しくはラドン発生稀有元素鉱物の２以上を混在状態であるいは層状態に含んでいる遠赤外線発生材を用いて遠赤外線を発生させ、人体に照射すると、遠赤外線発生材から効率的に遠赤外線を発生して人体の深部まで効率的に加温できるため、健康増進や温熱治療を効果的に実現できる。その結果、この遠赤外線発生材を鏝状の温熱器や震動部又はドーム状体に設けることにり、人体を患部のみ局部的に加温することもでき、全身または人体の大部分を効果的に加温することが可能となり、人体の健康増進や疾病の治療に多大な効果を発揮できる。
【図１】
2004075986.tif 000005
【図２】
2004075986.tif 000006
【図３】
2004075986.tif 000007
【図４】
2004075986.tif 000008
【図５】
2004075986.tif 000009
【図６】
2004075986.tif 000010
【図７】
2004075986.tif 000011
【図８】
2004075986.tif 000012
【図９】
2004075986.tif 000013
【図１０】
2004075986.tif 000014
【図１１】
2004075986.tif 000015
2004075986.tif 000016
2004075986.tif 000017
【図１３】
2004075986.tif 000018
【図１４】
2004075986.tif 000019
2004075986.tif 000020
2004075986.tif 000021
2004075986.tif 000022
【手続補正書】
【提出日】平成16年9月16日(2004.9.16)
【手続補正００１】
【補正対象書類名】特許請求の範囲
【補正対象項目名】全文
【補正方法】変更
【補正の内容】
【特許請求の範囲】
【請求項１】
発熱部の熱を受けて遠赤外線を発して温熱治療する鏝状の器具であって、
人体に遠赤外線を照射する側を凸曲面状の厚さ１〜３ｍｍのガラス板とし、その内側の凹曲面内に、ラドン発生稀有元素鉱物のみ、又はトルマリン鉱石、炭素若しくはラドン発生稀有元素鉱物の２以上を含んでいる遠赤外線発生材を設け、発熱部に直接又はスペーサ部を介して一体化されていることを特徴とする遠赤外線発生器。
【請求項２】
前記の鏝状の本体部の形状寸法を、長円８〜２０ｃｍ、短円４〜９ｃｍ程度、厚み１．５〜４ｃｍ程度の楕円状としたことを特徴とする請求の範囲第１項に記載の遠赤外線発生器。
【請求項３】
少なくとも、
前記の凸曲面状のガラス板を有する鏝状の遠赤外線発生器と、
ドーム状面に対し内側に発熱部を設けてあり、該発熱部の内側又は外側に直接又はスペーサ層を介して、ラドン発生稀有元素鉱物のみ、又はトルマリン鉱石、炭素若しくはラドン発生稀有元素鉱物の２以上を含んでいる遠赤外線発生材が一体化されているドーム状の遠赤外線発生器と、
を含むことを特徴とする請求の範囲第１項または第２項に記載の遠赤外線発生器。
【請求項４】
（１）．人体や人体に被せた布などの上に凸曲面状のガラス板を当てて摺動させて施療するための前記の鏝状の遠赤外線発生器と、
（２）．前記の鏝状の遠赤外線発生器で施療した後に用いる遠赤外線発生器であって、ドーム状面に対し内側に配置された前記遠赤外線発生器の内側に人体を位置させて、人体に遠赤外線を吸収させるドーム状の遠赤外線発生器と、
（３）．前記のドーム状の遠赤外線発生器で遠赤外線照射した後に用いる遠赤外線発生器であって、
ハーブ成分を含む液体を含浸させた蒸タオルを人体表面に重ねて、その上から、震動部によって加震される遠赤外線発生器を押し当てて、人体に遠赤外線を吸収させる遠赤外線発生器と、
を有することを特徴とする請求の範囲第１項、第２項または第３項に記載の遠赤外線発生器。
【手続補正００２】
【補正対象書類名】明細書
【補正対象項目名】０００３
【補正方法】変更
【補正の内容】
【０００３】
遠赤外線発生器の開発が迫られている。
本発明の技術的課題は、このような問題に着目し、遠赤外線の発生効率の優れた遠赤外線発生器を実現することによって、比較的低温でも人体の深部まで効果的に加温可能とすることにある。
【発明の開示】
本発明の技術的課題は次のような手段によって解決される。第１項は、発熱部の熱を受けて遠赤外線を発して温熱治療する鏝状の器具であって、人体に遠赤外線を照射する側を凸曲面状の厚さ１〜３ｍｍのガラス板とし、その内側の凹曲面内に、ラドン発生稀有元素鉱物のみ、又はトルマリン鉱石、炭素若しくはラドン発生稀有元素鉱物の２以上を含んでいる遠赤外線発生材を設け、発熱部に直接又はスペーサ部を介して一体化されていることを特徴とする遠赤外線発生器である。
実験の結果によると、このようにラドン発生稀有元素鉱物のみ、又はトルマリン鉱石、炭素若しくはラドン発生稀有元素鉱物の２以上を組み合わせてなる遠赤外線発生器を発熱部で加温すると、該遠赤外線発生器から効率的に遠赤外線を発生して人体の深部まで効率的に加温できるため、健康増進や温熱治療を効果的に実現できる。したがって、温熱治療器を人体に当てる際の温度を従来より低くでき、しかも人体の一か所に当てる時間も短縮できるので、高温に我慢する必要がなく、ストレス軽減となる。また、神経が鈍化している場合でも、火傷などの心配もなく、安全である。
特に、トルマリン鉱石とラドン発生稀有元素鉱物との両者を含んでいると、遠赤外線によって人体の深部までより確実に加温できる。トルマリン鉱石とラドン発生稀有元素鉱物と炭素の３者を組み合わせると、最も効果的に遠赤外線を発生して人体の深部まで加温できる。また、ラドン発生稀有元素鉱物の場合は、単体でも、トルマリンのみ又


【手続補正００３】
【補正対象書類名】明細書
【補正対象項目名】０００４
【補正方法】変更
【補正の内容】
【０００４】
は炭素のみの場合に比べると、最も効果的であった。したがって、発熱部の熱を受けて遠赤外線を発する用途の場合は、ラドン発生稀有元素鉱物のみでも使用可能である。
トルマリン鉱石、炭素又はラドン発生稀有元素鉱物の２以上の組み合わせ方は、粉状に混在させてもよいし、層状に積層してもよく、２以上の組み合わせ方は任意である。


【手続補正００４】
【補正対象書類名】明細書
【補正対象項目名】０００５
【補正方法】変更
【補正の内容】
【０００５】
ラドン発生稀有元素鉱物のみ、又はトルマリン鉱石、炭素若しくはラドン発生稀有元素鉱物の２以上を含んでいる遠赤外線発生材が、鏝状の本体部において発熱部に直接又はスペーサ部を介して一体化されているため、電気ヒーターなどの発熱部によって遠赤外線発生材が加熱されると、遠赤外線が人体の深部まで効率的に照射されて加温される。しかも、鏝状であるため、人体の加温は局部的となるが、容易に移動して、所望の位置を集中的に加温できる。


【手続補正００５】
【補正対象書類名】明細書
【補正対象項目名】０００６
【補正方法】変更
【補正の内容】
【０００６】
特に、人体に遠赤外線を照射する側を凸曲面状の厚さ１〜３ｍｍのガラス板とし、その内側の凹曲面内に前記の遠赤外線発生材を設ける構造にしたため、厚さ１〜３ｍｍの凸曲面状の滑りの良いガラス板が人体や人体に被せた布などの上を円滑に摺動でき、施療が容易にできる。
第２項は、前記の鏝状の本体部の形状寸法を、長円８〜２０ｃｍ、短円４〜９ｃｍ程度、厚み１．５〜４ｃｍ程度の楕円状としたことを特徴とする請求の範囲第１項に記載の遠赤外線発生器である。
このように、鏝状の本体部の形状寸法を、長円８〜２０ｃｍ、短円４〜９ｃｍ、厚さ１．５〜４ｃｍの楕円状としたため、人体の脇の下や顎の下などのような狭い部分や複雑な形状をした部分であっても、遠赤外線を発生する本体部を容易に挿入して円滑に摺動移動させ、目的とする患部に遠赤外線を照射することが可能となる。また、長円と直角方向に摺動すれば、広い面積を加熱できる。


【手続補正００６】
【補正対象書類名】明細書
【補正対象項目名】０００７
【補正方法】変更
【補正の内容】
【０００７】
第３項は、少なくとも、前記の凸曲面状のガラス板を有する鏝状の遠赤外線発生器と、
ドーム状面に対し内側に発熱部を設けてあり、該発熱部の内側又は外側に直接又はスペーサ層を介して、ラドン発生稀有元素鉱物のみ、又はトルマリン鉱石、炭素若しくはラドン発生稀有元素鉱物の２以上を含んでいる遠赤外線発生材が一体化されているドーム状の遠赤外線発生器と、を含むことを特徴とする請求の範囲第１項または第２項に記載の遠赤外線発生器である。
ドーム状面を有する遠赤外線発生器は、ラドン発生稀有元素鉱物のみ、又はトルマリン鉱石、炭素又はラドン発生稀有元素鉱物の２以上を含んでいる遠赤外線発生器が、ドーム状面に対し内側に設けてある発熱部に直接又はスペーサ層を介して一体化されているため、ドーム状面の内側に人体が位置している状態で遠赤外線を照射すると、人体のドーム状面の内側に位置している広い部分が遠赤外線で効率的に照射され、しかも人体の深部まで加温される。したがって、人体の広い領域または首以下の全身若しくは大部分を加温するのに好適である。遠赤外線が人体の深部まで効率的に照射されるので、ドーム内の温度を従来に比べると低くでき、その結果、我慢の必要がなく、長時間の加温も可能となる。
したがって、第３項のように、前記の鏝状の発熱部を有する遠赤外線発生器と、前記のドーム状面を有する遠赤外線発生器とを有している構成にすると、これらの２点を順次使用することによって、人体を局部的に重点的に深部まで加温したり、広い領域または首以下の全身又は大部分を深部まで加温したりできるので、加温漏れがない。


【手続補正００７】
【補正対象書類名】明細書
【補正対象項目名】０００８
【補正方法】変更
【補正の内容】
【０００８】
第４項は、（１）．人体や人体に被せた布などの上に凸曲面状のガラス板を当てて摺動させて施療するための前記の鏝状の遠赤外線発生器と、
（２）．前記の鏝状の遠赤外線発生器で施療した後に用いる遠赤外線発生器であって、ドーム状面に対し内側に配置された前記遠赤外線発生器の内側に人体を位置させて、人体に遠赤外線を吸収させるドーム状の遠赤外線発生器と、
（３）．前記のドーム状の遠赤外線発生器で遠赤外線照射した後に用いる遠赤外線発生器であって、ハーブ成分を含む液体を含浸させた蒸タオルを人体表面に重ねて、その上から、震動部によって加震される遠赤外線発生器を押し当てて、人体に遠赤外線を吸収させる遠赤外線発生器と、
を有することを特徴とする請求の範囲第１項、第２項または第３項に記載の遠赤外線発生器である。
このように、ラドン発生稀有元素鉱物のみ、又はトルマリン鉱石、炭素又はラドン発生稀有元素鉱物の２以上を含んでいる遠赤外線発生




【手続補正書】
【提出日】平成17年9月20日(2005.9.20)
【手続補正１】
【補正対象書類名】特許請求の範囲
【補正対象項目名】全文
【補正方法】変更
【補正の内容】
【特許請求の範囲】
【請求項１】
人体と接する外側が凸曲面、内側が凹曲面に形成されたガラス板を有する本体部および該本体部と一体をなす取っ手部を具備するケースと、
前記ガラス板の内側の凹部に配設された、ラドン発生稀有元素鉱物、トルマリン、および炭素の３種の遠赤外線発生体を含む遠赤外線発生部と、
前記ケース内に配設され、前記遠赤外線発生部を加温するヒータと
を具備することを特徴とする温熱治療用の遠赤外線発生器。
【請求項２】
前記遠赤外線発生部は、ラドン発生稀有元素鉱物粉末、トルマリン粉末、および炭素粉末が、合成樹脂結合材中に混在され、固められたものであることを特徴とする請求項１記載の温熱治療用の遠赤外線発生器。
【請求項３】
前記遠赤外線発生部は、ラドン発生稀有元素鉱物粉末、トルマリン粉末、および炭素粉末が、合成樹脂結合材中に混在され、前記ガラス板の凹部内面に焼き付けられて固定されていることを特徴とする請求項１記載の温熱治療用の遠赤外線発生器。
【請求項４】
前記遠赤外線発生部は、ラドン発生稀有元素鉱物層と、トルマリン層と、炭素層とが積層されて形成されていることを特徴とする請求項１記載の温熱治療用の遠赤外線発生器。
【請求項５】
前記遠赤外線発生部は、ラドン発生稀有元素鉱物粉末を合成樹脂で固めたシートと、トルマリン粉末を合成樹脂で固めたシートと、炭素粉末を合成樹脂で固めたシートとが、接着剤により、前記ガラス板凹部内面にこの順に積層されて形成されていることを特徴とする請求項１記載の温熱治療用の遠赤外線発生器。
【請求項６】
前記ヒータが前記遠赤外線発生部中に埋め込まれて固定されていることを特徴とする請求項１〜５いずれか１項記載の温熱治療用の遠赤外線発生器。
【請求項７】
前記遠赤外線発生部の、ガラス板とは反対側の面が平坦に形成され、該平坦面にプレート状に形成された前記ヒータが接触した状態で固定されていることを特徴とする請求項１〜５いずれか１項記載の温熱治療用の遠赤外線発生器。
【請求項８】
左右に取っ手を有する本体ケースと、
該本体ケース内に配置され、モータおよび加振用のバランスウェイトを有する加振器と、
本体ケースの外側に固定され、前記加振器によって振動される振動板と、
該振動板に断熱材を介して取り付けられたヒータと、
該ヒータの外面に、炭素層、トルマリン層、ラドン発生稀有元素鉱物層が積層されてなる遠赤外線発生部と、
前記ヒータおよび遠赤外線発生部を覆って設けられた被覆体と、
該被覆体で覆われて生じた空間内に充填された充填物とを具備することを特徴とする温熱治療用の遠赤外線発生器。
【請求項９】
前記被覆体がウレタンゴムからなることを特徴とする請求項８記載の温熱治療用の遠赤外線発生器。
【請求項１０】
人体を覆うことができる程度の大きさの半円筒状に形成されたヒータと、
該ヒータの内面に、炭層層、トルマリン層、ラドン発生稀有元素鉱物層が積層されてなる遠赤外線発生部と、
前記ヒータの外面を覆って形成された外面保護層とを具備することを特徴とする温熱治療用の遠赤外線発生器。
【請求項１１】
前記遠赤外線発生部の内面を覆って内面保護層が形成されていることを特徴とする請求項１０記載の温熱治療用の遠赤外線発生器。
【国際調査報告】
2004075986.tif 000023
2004075986.tif 000024
2004075986.tif 000025
2004075986.tif 000026
2004075986.tif 000027
2004075986.tif 000028